(57)【要約】【課題】作業者の手が入らないような狭小隙間を利用して通信ケーブルの引込線を屋内に配線する場合でも、効率のよい作業の遂行を可能とする。【解決手段】ケーブル引込線用引抜き工具であって、グリップ１０から延びるパイプ２０が自体の弾性によって曲がることができるとともに、このパイプがグリップ１０に対して軸心回りに回転可能である。そして、パイプ２０に挿通させたワイヤー３０が、該パイプの先端側から外部に出てループ部３２を構成し、かつグリップ１０側から外部に出て操作部３４を構成している。この操作部３４を引き締めることでループ部３２を絞ることができるように構成されている。【選択図】図２
2012253891.tif 000002
【特許請求の範囲】
【請求項１】
グリップから延びるパイプが自体の弾性によって曲がることができるとともに、このパイプがグリップに対して軸心回りに回転可能であり、パイプに挿通させたワイヤーが、該パイプの先端側から外部に出てループ部を構成し、かつグリップ側から外部に出て操作部を構成し、この操作部を引き締めることでループ部を絞ることができるように構成されているケーブル引込線用引抜き工具。
【請求項２】
請求項１に記載されたケーブル引込線用引抜き工具であって、
ワイヤーのループ部は、パイプの先端側の二箇所に開けられた挿通孔から外部に出ることで構成されているケーブル引込線用引抜き工具。
【発明の詳細な説明】
【技術分野】
【０００１】
本発明は、光ファイバケーブル等の通信ケーブルにおける引込線を屋内に配線する作業（ドロップ・インドア配線作業）に使用するケーブル引込線用引抜き工具に関する。
【背景技術】
【０００２】
この種の配線作業を一般家屋において行う場合は、例えばエアコン用のホースを通すために家屋の壁に開けられている孔を利用することが多い。つまり、通信ケーブルの引込線を屋外側から壁の孔に差し込み、屋内側から引込線を引き入れて配線作業を行っている。
また、特許文献１に開示された技術では、ビルディング等の建物を対象とし、光ファイバケーブルを挿通させた金属フレキシブル管を建物のエレベータシャフト等の空間に配置する。そして、この金属フレキシブル管から引き出された個別のケーブルを各種の通信機器に接続する。
【先行技術文献】
【特許文献】
【０００３】
【特許文献１】特開２００７−１１４２８２号公報
【発明の概要】
【発明が解決しようとする課題】
【０００４】
一般家屋において、前述のようにエアコン用のホースが通されている壁の孔を利用して引込線を配線する場合、屋内側ではエアコンの室内機と壁との間の狭小隙間に引込線が位置することになる。このように作業者の手が入らず、また手が届きにくい狭小隙間の奥に引込線があるときは、エアコンの室内機を移動させる必要があり、その分、配線作業の効率がわるくなる。
【０００５】
本発明は、このような課題を解決しようとするもので、その目的は、作業者の手が入らないような狭小隙間を利用して通信ケーブルの引込線を屋内に配線する場合でも、効率のよい作業の遂行を可能とすることである。
【課題を解決するための手段】
【０００６】
本発明は、上記の目的を達成するためのもので、以下のように構成されている。
グリップから延びるパイプが自体の弾性によって曲がることができるとともに、このパイプがグリップに対して軸心回りに回転可能である。そして、パイプに挿通させたワイヤーが、該パイプの先端側から外部に出てループ部を構成し、かつグリップ側から外部に出て操作部を構成している。この操作部を引き締めることでループ部を絞ることができるように構成されている。
【０００７】
より好ましくは、ワイヤーのループ部が、パイプの先端側の二箇所に開けられた挿通孔から外部に出ることで構成されていることである。
【発明の効果】
【０００８】
本発明においては、作業者の手が入らないような狭小隙間を利用して通信ケーブルの引込線を屋内に配線する際に、屋外から狭小隙間に差し込まれた引込線の端部を、パイプの先端側にあるワイヤーのループ部を絞ることで把持し、そのまま引込線を屋内側に引き入れて配線することができる。これにより、狭小隙間をつくっている障害物を移動させる手間を省いて効率よく配線作業を行うことができる。
また、狭小隙間に合わせてパイプを曲げることができ、かつグリップに対してパイプを軸心回りに回転させてワイヤーのループ部の向きを調整することにより、狭小隙間に位置する引込線を容易に把持することができる。
【０００９】
さらに、ワイヤーをパイプの先端側の二箇所に開けられた挿通孔から外部に出してループ部を構成することにより、引込線を把持するためにループ部を繰り返して絞っても、ワイヤーに局部的な折れ曲がり等が生じにくく、耐久性に優れる。
【図面の簡単な説明】
【００１０】
【図１】ケーブル引込線用引抜き工具の全体を表した平面図。
【図２】ケーブル引込線用引抜き工具の一部を破断して表した平断面図。
【図３】ケーブル引込線用引抜き工具の一部を破断して表した縦断面図。
【図４】引込線を把持した状態のケーブル引込線用引抜き工具の一部を表した斜視図。
【図５】一般家屋における引込線の配線箇所を表した概略図。
【発明を実施するための形態】
【００１１】
以下、本発明を実施するための形態を、図面を用いて説明する。
図１〜図３から明らかなように本実施の形態のケーブル引込線用引抜き工具は、大別してグリップ１０とパイプ２０とワイヤー３０とによって構成されている。グリップ１０は、パイプ２０よりも径の大きい中空の筒形状であり、ABS樹脂材などで成形されている。これに対してパイプ２０は、透明のアクリル樹脂材などで成形されている。また、ワイヤー３０は金属製で、後で説明するように引込線５０を把持するために必要な適度の可撓性を有する。
【００１２】
グリップ１０は、配線作業者が手で持ってケーブル引込線用引抜き工具を操作するのに適した長さ（約200mm）と径（約25mm）とに設定されている。グリップ１０の内部には、図２あるいは図３の右端寄りの領域において発光ダイオード（LED）を用いたランチャーライト１４が組込まれている。このランチャーライト１４を点灯・消灯させるスイッチ部は、グリップ１０の外部から操作可能になっている。グリップ１０には、長孔形状をした左右一対の挿通孔１２と丸孔形状をした左右一対の挿通孔１３とが、それぞれグリップ１０の内外に貫通して開けられている。
【００１３】
グリップ１０の左端側の開口部は、ABS樹脂材などで成形されたキャップ１６で閉ざされている。このキャップ１６には、グリップ１０の内外に貫通した連結孔１８が開けられており、この連結孔１８にパイプ２０の基端部が差し込まれている（図２、図３）。
グリップ１０およびキャップ１６は、黒色で不透明の樹脂材によって成形することが好ましい。その結果、ランチャーライト１４の光が外に洩れるのを防止できるとともに、グリップ１０の内部を見えなくして意匠性を高めることができる。
【００１４】
パイプ２０は、その先端部が後述する配線箇所の狭小隙間Ｓに届く長さ（約300mm）と、この狭小隙間Ｓに入る径（約6mm）とに設定されている。パイプ２０の素材は、前述のように透明の樹脂材であるとともに、自体の弾性によって適度に曲がることができる。パイプ２０の先端部寄りには、長孔形状をした左右一対の挿通孔２６がパイプ２０の内外に貫通して開けられている。
パイプ２０の先端側の開口部は、透明のアクリル樹脂材などで成形された透光キャップ２８で塞がれている。ランチャーライト１４を点灯したときのLEDの光は、パイプ２０を通って透光キャップ２８から照明光を発することになる。
【００１５】
パイプ２０の基端部は、既に述べたようにキャップ１６の連結孔１８に差し込まれている。そして、パイプ２０の基端部には、キャップ１６の内側（グリップ１０の内部）およびキャップ１６の外側（グリップ１０の外部）においてスリーブ形状のストッパー２２，２４がそれぞれ固定されている。これにより、パイプ２０はグリップ１０に結合された状態に保持され、かつグリップ１０に対して軸心回りに回転することができる。なお、これらのストッパー２２，２４についても、グリップ１０やキャップ１６と同様にABS樹脂材などで成形されている。
【００１６】
ワイヤー３０は、パイプ２０における先端側の外部で一つのループ部３２が構成され、グリップ１０側の外部で一対の操作部３４が構成されている（図２）。実際にワイヤー３０を組付ける手順については、一本のワイヤー３０の中間部分を折り返し、その両端部をパイプ２０の先端寄りに開けられている一対の挿通孔２６からパイプ２０の中にそれぞれ挿入してグリップ１０の中まで導く。そして、ワイヤー３０の両端部をグリップ１０に開けられている一対の挿通孔１２から個別にグリップ１０の外部に出した後、一対の挿通孔１３から再び内部に挿入する。
【００１７】
これにより、ワイヤー３０はパイプ２０の両挿通孔２６から外部に出た箇所においてループ部３２が構成され、グリップ１０の各挿通孔１２，１３から外部に出た箇所において操作部３４が構成される。グリップ１０の内部に位置するワイヤー３０の両端部は、それぞれカシメ加工がされて個々の挿通孔１３から抜けないようになっている（図２）。このカシメ加工は、ランチャーライト１４が組込まれる前のグリップ１０の開口からワイヤー３０の両端部を外に出して行う。
【００１８】
以上のように構成されたケーブル引込線用引抜き工具において、ワイヤー３０のループ部３２に通信ケーブルの引込線５０を通した後、グリップ１０側で操作部３４を引き締めてワイヤー３０を手元側へ引き寄せる。これにより、ワイヤー３０のループ部３２が絞られ、図４で示すようにループ部３２とパイプ２０の先端との間で引込線５０を把持することができる。
図５で示すように、一般家屋においてエアコンホース４６を通している壁４０の孔４２を利用して通信ケーブルの引込線５０を屋外から屋内に配線する場合、屋外側から壁４０の孔４２に差し込まれた引込線５０の端部は、壁４０とエアコン室内機４４との間の狭小隙間Ｓに位置している。この狭小隙間Ｓは、作業者の手が入らず、届きにくい。加えて多くの場合は、引込線５０の端部が狭小隙間Ｓにおいてエアコン室内機４４の背面に引っ掛かって作業者の手元まで配線できない。
【００１９】
そこで、屋内側においてケーブル引込線用引抜き工具のパイプ２０を狭小隙間Ｓに入れ、前述のように操作してループ部３２により引込線５０を把持する。このとき、パイプ２０は弾性によって曲がることができるとともに、グリップ１０に対して軸心回りに回転することができるので、ループ部３２の向きなどを自由に調整して引込線５０を確実に把持することが可能となる。したがって、作業者は無理な姿勢をとることなく、引込線５０を屋内側に引抜いて配線することができる。
また、狭小隙間Ｓが暗いときは、ランチャーライト１４を点灯することにより、パイプ２０先端の透光キャップ２８から発せられるLEDの光で狭小隙間Ｓを照明することができる。
【００２０】
このように、狭小隙間Ｓにある引込線５０をケーブル引込線用引抜き工具におけるワイヤー３０のループ部３２で把持して屋内側へ引抜くことにより、エアコン室内機４４を壁４０から一旦取外すといった作業が不要となって配電作業を効率よく行うことができる。なお、狭小隙間Ｓに差し込まれるパイプ２０が樹脂製であることから、壁４０にキズをつけることも少ない。
ループ部３２は、パイプ２０の二箇所に開けられた挿通孔２６にグリップ１０を挿通させることで構成されているので、このループ部３２を繰り返して絞ることでワイヤー３０に局部的な折れ曲がり等が生じるのを防止することができる。
【符号の説明】
【００２１】
１０  グリップ
２０  パイプ
３０  ワイヤー
３２  ループ部
３４  操作部
５０  通信ケーブルの引込線
【図１】
2012253891.tif 000003
【図２】
2012253891.tif 000004
【図３】
2012253891.tif 000005
【図４】
2012253891.tif 000006
【図５】
2012253891.tif 000007